(57)【要約】【課題】多段燃焼装置において、低燃焼から高燃焼への移行と、高燃焼から低燃焼への移行との両者をともに良好に行えるようにする。【解決手段】  制御装置が、バーナの低燃焼と高燃焼との切替のために、少なくともバーナの高燃焼用の第２の弁のオン・オフをコントロールするとともに、空気量調節用のダンパの開度をコントロールする。制御装置は、バーナの低燃焼と高燃焼との切替の際に、低燃焼時のダンパ開度と高燃焼時のダンパ開度との間で所定時間内にダンパ開度を次第に変更するように制御する。さらに制御装置は、所定時間内における、バーナの燃焼を低燃焼から高燃焼に移行させるときの第２の弁のオン動作の動作点と、バーナの燃焼を高燃焼から低燃焼に移行させるときの第２の弁のオフ動作の動作点とが異なる動作点であるように制御する。【選択図】図１
2020165567.tif 000002
【特許請求の範囲】
【請求項１】
バーナへの燃料供給路に設けられた、バーナの低燃焼用の第１の弁およびバーナの高燃焼用の第２の弁と、
バーナへの燃焼用空気供給路に設けられた空気量調節用のダンパと、
バーナの低燃焼と高燃焼との切替のために、ダンパの開度と、少なくとも第２の弁のオン・オフとをコントロールするための制御装置とを備え、
前記制御装置は、バーナの低燃焼と高燃焼との切替の際に、低燃焼時のダンパ開度と高燃焼時のダンパ開度との間でダンパ開度を次第に変更するように制御するものであり、さらに
前記制御装置は、前記ダンパ開度を次第に変更しているときにおける、バーナの燃焼を低燃焼から高燃焼に移行させるときの第２の弁のオン動作の動作点と、バーナの燃焼を高燃焼から低燃焼に移行させるときの第２の弁のオフ動作の動作点とが異なる動作点であるように制御するものであることを特徴とする多段燃焼装置。
【請求項２】
バーナへの燃料供給路に設けられた、バーナの低燃焼用の第１の弁およびバーナの高燃焼用の第２の弁およびバーナの単数段または複数段の中燃焼用の単数または複数の第３の弁と、
バーナへの燃焼用空気供給路に設けられた空気量調節用のダンパと、
バーナの前記低燃焼および中燃焼を含む低燃焼側と、前記中燃焼および高燃焼を含む高燃焼側との切替のために、ダンパの開度と、少なくとも第２の弁および第３の弁のオン・オフとをコントロールするための制御装置とを備え、
前記制御装置は、前記低燃焼側と高燃焼側との切替の際に、低燃焼時のダンパ開度と高燃焼時のダンパ開度との間でダンパ開度を次第に変更するように制御するものであり、さらに
前記制御装置は、前記ダンパ開度を次第に変更しているときにおける、バーナの燃焼を前記低燃焼側から前記高燃焼側に移行させるときの第２の弁のオン動作の動作点と、バーナの燃焼を前記高燃焼側から前記低燃焼側に移行させるときの第２の弁のオフ動作の動作点とが異なる動作点であるように制御するとともに、バーナの燃焼を前記低燃焼および中燃焼を含む低燃焼側から前記中燃焼および高燃焼を含む高燃焼側に移行させるときの第３の弁のオン動作の動作点と、バーナの燃焼を前記中燃焼および高燃焼を含む高燃焼側から前記低燃焼および中燃焼を含む低燃焼側に移行させるときの第３の弁のオフ動作の動作点とが異なる動作点であるように制御するものであることを特徴とする多段燃焼装置。
【請求項３】
制御装置は、バーナの燃焼を低燃焼または低燃焼側から高燃焼または高燃焼側に移行させるときのオン動作の動作点を、バーナの燃焼を高燃焼または高燃焼側から低燃焼または低燃焼側に移行させるときのオフ動作の動作点よりも低燃焼寄りに設定するものであることを特徴とする請求項１または２記載の多段燃焼装置。
【請求項４】
制御装置は、バーナの燃焼を低燃焼または低燃焼側から高燃焼または高燃焼側に移行させるときのオン動作の動作点を、バーナの燃焼を高燃焼または高燃焼側から低燃焼または低燃焼側に移行させるときのオフ動作の動作点よりも高燃焼寄りに設定するものであることを特徴とする請求項１または２記載の多段燃焼装置。
【請求項５】
制御装置は、バーナの燃焼を低燃焼または低燃焼側から高燃焼または高燃焼側に移行させるときのオン動作の動作点と、バーナの燃焼を高燃焼または高燃焼側から低燃焼または低燃焼側に移行させるときのオフ動作の動作点とを、オン動作やオフ動作を行わせたときに発煙や消炎が発生する燃焼量から外れた燃焼量のところに設定するものであることを特徴とする請求項１から４までのいずれか１項記載の多段燃焼装置。
【請求項６】
制御装置は、バーナが燃料よりも燃焼用空気リッチの状態にあるときの方が、バーナが燃焼用空気よりも燃料リッチの状態にあるときに比べて、バーナの燃焼を低燃焼または低燃焼側から高燃焼または高燃焼側に移行させるときのオン動作の動作点を低燃焼寄りに設定するとともに、バーナの燃焼を高燃焼または高燃焼側から低燃焼または低燃焼側に移行させるときのオフ動作の動作点を高燃焼寄りに設定するものであることを特徴とする請求項１から５までのいずれか１項記載の多段燃焼装置。
【請求項７】
バーナへの燃料供給路に設けられた、バーナの低燃焼用の第１の弁およびバーナの高燃焼用の第２の弁を備えた多段燃焼装置を制御するための方法であって、
バーナへの燃焼用空気供給路に設けられた空気量調節用のダンパについて、バーナの低燃焼と高燃焼との切替の際に、低燃焼時のダンパ開度と高燃焼時のダンパ開度との間で所定時間内にダンパ開度を次第に変更し、
前記所定時間内における、バーナの燃焼を低燃焼から高燃焼に移行させるときの第２の弁のオン動作の動作点と、バーナの燃焼を高燃焼から低燃焼に移行させるときの第２の弁のオフ動作の動作点とを異ならせることを特徴とする多段燃焼装置の制御方法。
【請求項８】
多段燃焼装置として、バーナの単数段または複数段の中燃焼用の、単数または複数の第３の弁をさらに備えたものを用い、
バーナの燃焼を低燃焼および中燃焼を含む低燃焼側から、中燃焼および高燃焼を含む高燃焼側に移行させるときの第３の弁のオン動作の動作点と、バーナの燃焼を前記高燃焼側から前記低燃焼側に移行させるときの第３の弁のオフ動作の動作点とを異ならせることを特徴とする請求項７記載の多段燃焼装置の制御方法。
【発明の詳細な説明】
【技術分野】
【０００１】
本発明はボイラなどに設置される多段燃焼装置に関する。
【背景技術】
【０００２】
燃焼装置として、燃料濃度の高い混合気を燃焼させる手段と、燃料濃度の低い混合気を燃焼させる手段とを備えた多段燃焼装置がたとえば特許文献１において知られている。さらに、多段燃焼装置として、バーナへの燃料供給路に、複数の弁であって、そのオン・オフが行われる弁を備えたものが知られている。たとえば、バーナの低燃焼時にその低燃焼に対応して燃料を供給可能な低燃焼用弁と、バーナの高燃焼時にその高燃焼に対応して燃料を供給可能な高燃焼用弁とを備えて、低燃焼時には低燃焼用弁のみをオンとし、また高燃焼時には低燃焼用弁と高燃焼用弁との両方をオンにすることで、低燃焼と高燃焼との多段燃焼を実現することができる。あるいは、低燃焼時と高燃焼時とにおいて低燃焼用弁と高燃焼用弁とのオン・オフを互いに切り替えることで、低燃焼と高燃焼との多段燃焼を実現することもできる。
【０００３】
これまでに知られている多段燃焼装置として、上記のように、低燃焼弁をオン状態に維持しながら高燃焼用弁のオン・オフを切り替えることによって、高燃焼と低燃焼とを切り替えた多段燃焼を実現したものがある。その切替のタイミングは、バーナに燃焼用の空気を供給するダンパの開度がバーナの燃焼量に対応することから、そのダンパの開度にもとづいて設定されている。すなわち、低燃焼と高燃焼とを切り替えるためにダンパの開度を変更するときにおいて、ダンパが所定の開度となったタイミングで高燃焼用弁のオン・オフの切替を行うことで、低燃焼から高燃焼への移行を行ったり、高燃焼から低燃焼への移行を行ったりしている。
【先行技術文献】
【特許文献】
【０００４】
【特許文献１】特開２００２−２９５８１１号公報
【発明の概要】
【発明が解決しようとする課題】
【０００５】
しかし、上記した従来の構成では、低燃焼から高燃焼への移行を良好に行うことができても、高燃焼から低燃焼への移行の際には発煙や消炎が生じたり、また反対に高燃焼から低燃焼への移行を良好に行うことができても、低燃焼から高燃焼への移行の際には発煙や消炎が生じたりすることが多い。つまり、低燃焼から高燃焼への移行と、高燃焼から低燃焼への移行との両者をともに良好に行うことが困難な場合が多い。
【０００６】
そこで本発明は、このような問題点を解決して、多段燃焼装置において、低燃焼から高燃焼への移行と、高燃焼から低燃焼への移行との両者をともに良好に行うことができるようにすることを目的とする。
【課題を解決するための手段】
【０００７】
この目的を達成するため本発明の多段燃焼装置は、
バーナへの燃料供給路に設けられた、バーナの低燃焼用の第１の弁およびバーナの高燃焼用の第２の弁と、
バーナへの燃焼用空気供給路に設けられた空気量調節用のダンパと、
バーナの低燃焼と高燃焼との切替のために、ダンパの開度と、少なくとも第２の弁のオン・オフとをコントロールするための制御装置とを備え、
前記制御装置は、バーナの低燃焼と高燃焼との切替の際に、低燃焼時のダンパ開度と高燃焼時のダンパ開度との間でダンパ開度を次第に変更するように制御するものであり、さらに
前記制御装置は、前記ダンパ開度を次第に変更しているときにおける、バーナの燃焼を低燃焼から高燃焼に移行させるときの第２の弁のオン動作の動作点と、バーナの燃焼を高燃焼から低燃焼に移行させるときの第２の弁のオフ動作の動作点とが異なる動作点であるように制御するものであることを特徴とする
【０００８】
したがって本発明によると、バーナの燃焼量を低燃焼から高燃焼に移行させるときの第２の弁のオン動作の動作点と、バーナの燃焼量を高燃焼から低燃焼に移行させるときの第２の弁のオフ動作の動作点とが異なる動作点であるように制御する制御装置を備えることによって、バーナの燃焼量を低燃焼から高燃焼に移行させるときの第２の弁のオン動作の動作点を、発煙や消炎が生じない良好な点に設定することができるとともに、バーナの燃焼量を高燃焼から低燃焼に移行させるときの第２の弁のオフ動作の動作点も、発煙や消炎が生じない良好な点に設定することができ、このため低燃焼から高燃焼への移行と、高燃焼から低燃焼への移行との両者をともに良好に行うことができる。
【０００９】
本発明の他の多段燃焼装置は、
バーナへの燃料供給路に設けられた、バーナの低燃焼用の第１の弁およびバーナの高燃焼用の第２の弁およびバーナの単数段または複数段の中燃焼用の単数または複数の第３の弁と、
バーナへの燃焼用空気供給路に設けられた空気量調節用のダンパと、
バーナの前記低燃焼および中燃焼を含む低燃焼側と、前記中燃焼および高燃焼を含む高燃焼側との切替のために、ダンパの開度と、少なくとも第２の弁および第３の弁のオン・オフとをコントロールするための制御装置とを備え、
前記制御装置は、前記低燃焼側と高燃焼側との切替の際に、低燃焼時のダンパ開度と高燃焼時のダンパ開度との間でダンパ開度を次第に変更するように制御するものであり、さらに
前記制御装置は、前記ダンパ開度を次第に変更しているときにおける、バーナの燃焼を前記低燃焼側から前記高燃焼側に移行させるときの第２の弁のオン動作の動作点と、バーナの燃焼を前記高燃焼側から前記低燃焼側に移行させるときの第２の弁のオフ動作の動作点とが異なる動作点であるように制御するとともに、バーナの燃焼を前記低燃焼および中燃焼を含む低燃焼側から前記中燃焼および高燃焼を含む高燃焼側に移行させるときの第３の弁のオン動作の動作点と、バーナの燃焼を前記中燃焼および高燃焼を含む高燃焼側から前記低燃焼および中燃焼を含む低燃焼側に移行させるときの第３の弁のオフ動作の動作点とが異なる動作点であるように制御するものであることを特徴とする。
【００１０】
本発明の多段燃焼装置によれば、制御装置は、バーナの燃焼を低燃焼または低燃焼側から高燃焼または高燃焼側に移行させるときのオン動作の動作点を、バーナの燃焼を高燃焼または高燃焼側から低燃焼または低燃焼側に移行させるときのオフ動作の動作点よりも低燃焼寄りあるいは高燃焼寄りに設定するものであることが好適である。
【００１１】
また本発明の多段燃焼装置によれば、制御装置は、バーナの燃焼を低燃焼または低燃焼側から高燃焼または高燃焼側に移行させるときのオン動作の動作点と、バーナの燃焼を高燃焼または高燃焼側から低燃焼または低燃焼側に移行させるときのオフ動作の動作点とを、オン動作やオフ動作を行わせたときに発煙や消炎が発生する燃焼量から外れた燃焼量のところに設定するものであることが好適である。
【００１２】
また本発明の多段燃焼装置によれば、制御装置は、バーナが燃料よりも燃焼用空気リッチの状態にあるときの方が、バーナが燃焼用空気よりも燃料リッチの状態にあるときに比べて、バーナの燃焼を低燃焼または低燃焼側から高燃焼または高燃焼側に移行させるときのオン動作の動作点を低燃焼寄りに設定するとともに、バーナの燃焼を高燃焼または高燃焼側から低燃焼または低燃焼側に移行させるときのオフ動作の動作点を高燃焼寄りに設定するものであることが好適である。
【００１３】
本発明の多段燃焼装置の制御方法は、
バーナへの燃料供給路に設けられた、バーナの低燃焼用の第１の弁およびバーナの高燃焼用の第２の弁を備えた多段燃焼装置を制御するための方法であって、
バーナへの燃焼用空気供給路に設けられた空気量調節用のダンパについて、バーナの低燃焼と高燃焼との切替の際に、低燃焼時のダンパ開度と高燃焼時のダンパ開度との間で所定時間内にダンパ開度を次第に変更し、
前記所定時間内における、バーナの燃焼を低燃焼から高燃焼に移行させるときの第２の弁のオン動作の動作点と、バーナの燃焼を高燃焼から低燃焼に移行させるときの第２の弁のオフ動作の動作点とを異ならせることを特徴とする。
【００１４】
本発明の多段燃焼装置の制御方法によれば、
多段燃焼装置として、バーナの単数段または複数段の中燃焼用の、単数または複数の第３の弁をさらに備えたものを用い、
バーナの燃焼を低燃焼および中燃焼を含む低燃焼側から、中燃焼および高燃焼を含む高燃焼側に移行させるときの第３の弁のオン動作の動作点と、バーナの燃焼を前記高燃焼側から前記低燃焼側に移行させるときの第３の弁のオフ動作の動作点とを異ならせることが好適である。
【発明の効果】
【００１５】
本発明によれば、バーナの燃焼量を低燃焼から高燃焼に移行させるときの第２の弁のオン動作の動作点を、発煙や消炎が生じない良好な点に設定することができるとともに、バーナの燃焼量を高燃焼から低燃焼に移行させるときの第２の弁のオフ動作の動作点も、発煙や消炎が生じない良好な点に設定することができ、このため低燃焼から高燃焼への移行と、高燃焼から低燃焼への移行との両者をともに良好に行うことができる。
【図面の簡単な説明】
【００１６】
【図１】本発明の実施の形態の多段燃焼装置における弁の切替の態様を例示する図である。
【図２】本発明の実施の形態の多段燃焼装置の構成を例示する図である。
【図３】従来の多段燃焼装置における弁の切替の態様を例示する図である。
【図４】本発明の他の実施の形態の多段燃焼装置における弁の切替の態様を例示する図である。
【図５】本発明のさらに他の実施の形態の多段燃焼装置における弁の切替の態様を例示する図である。
【図６】図５の切替を行う多段燃焼装置の構成を例示する図である。
【図７】本発明のさらに他の実施の形態の多段燃焼装置であって、液体燃料を用いるものの構成を例示する図である。
【図８】本発明のさらに他の実施の形態の多段燃焼装置であって、気体燃料を用いるものの構成を例示する図である。
【図９】図７および図８に示された多段燃焼装置における空気リッチ時の弁の切替の態様を例示する図である。
【図１０】図７および図８に示された多段燃焼装置における燃料リッチ時の弁の切替の態様を例示する図である。
【発明を実施するための形態】
【００１７】
図２は、本発明の実施の形態の多段燃焼装置の構成を例示するものである。ここで１１はボイラで、バーナ１２を備えている。バーナ１２には、燃料ポンプからの燃料供給ライン１３と、燃焼用空気供給ライン１４とが接続されている。燃料供給ライン１３は、バーナ１２の手前において二又に分岐されており、その一方は低燃焼用燃料供給ライン１５を構成し、他方は高燃焼用燃料供給ライン１６を構成する。低燃焼用燃料供給ライン１５には低燃焼用弁１７が設けられ、高燃焼用燃料供給ライン１６には高燃焼用弁１８が設けられている。燃料供給ライン１３における分岐部よりも上流側の部分には、安全用の弁１９が設けられている。燃焼用空気供給ライン１４には、送風用のブロワ２０と、空気量調節用の空気ダンパ２１とが設けられている。２２は制御装置で、ボイラ１１にて生成された水蒸気の温度や圧力についての検出信号ライン２３が接続されるとともに、弁１７、１８、１９および空気ダンパ２１との間の信号／制御ライン２４が接続されている。
【００１８】
図１に示すように空気ダンパ２１にはダンパ軸またはダンパ軸に連動するモータ軸等２６（以下、ダンパ軸またはダンパ軸に連動するモータ軸等を「ダンパ軸等」と略称することがある）が設けられており、このダンパ軸等２６の回転角度がダンパ２１の開度に対応するように構成されている。ダンパ軸等２６には複数の任意個数(i個)のカム２７（１）、２７（２）、・・・・、２７（ｉ−１）、２７（ｉ）が一体回転するように取り付けられている。各カム２７（１）、２７（２）、・・・・、２７（ｉ−１）、２７（ｉ）に対応して、検出スイッチ２８（１）、２８（２）、・・・・、２８（ｉ−１）、２８（ｉ）がそれぞれ設けられている。
【００１９】
図１に示されたグラフは、空気ダンパ２１の開度すなわちダンパ軸等２６の回転角度と、ボイラ１１の負荷率すなわちバーナ１２の燃焼量との関係を表す。ダンパ軸等２６の角度は０度〜９０℃の範囲で変更可能であり、角度０度のときに空気ダンパ２１の開度が最も小さく、また角度９０度のときに空気ダンパ２１の開度が最も大きくなるように構成されている。そして図１の特性を示す空気ダンパ２１は、低燃焼開度すなわち低燃焼時のダンパ軸等２６の角度を、任意に設定できる（例えば１０度）。また、高燃焼開度すなわち高燃焼時のダンパ軸等２６の角度も、任意に設定できる（例えば８０度）。
【００２０】
図１に示すように、空気ダンパ２１の開度と、バーナ１２の燃焼量すなわちその負荷率とは、一対一に対応している。
【００２１】
空気ダンパ２１の開度が「低燃焼開度」であるときは、カム２７（１）が検出スイッチ２８（１）を作動させ、それによって空気ダンパ２１の開度が検出される。同様に、空気ダンパ２１の開度が「高燃焼開度」であるときは、カム２７（ｉ）が検出スイッチ２８（ｉ）を作動させ、それによって空気ダンパ２１の開度が検出される。
【００２２】
図１のグラフには、発煙・消炎発生ゾーン３０が存在する。この発煙・消炎発生ゾーン３０は、低燃焼開度と高燃焼開度との中間における一定範囲の開度の領域、すなわち低燃焼と高燃焼との間の一定範囲の負荷率の領域において、存在する。このゾーン３０において、低燃焼から高燃焼への切替や、高燃焼から低燃焼への切替を行うと、燃焼状態が悪化して、バーナ１２において発煙や消炎が発生する可能性が高くなる。
【００２３】
このため、図１に示すように、低燃焼から高燃焼への切替時や、高燃焼から低燃焼への切替時には、ダンパ軸等２６が回転しているときにおける、発煙・消炎発生ゾーン３０を避けたタイミングで、低燃焼と高燃焼との切替を行う。低燃焼時は、低燃焼用弁１７をオンかつ高燃焼用弁１８をオフとする。これに対し高燃焼時は、低燃焼用弁１７と高燃焼用弁１８との両者をオンとする。詳細には、低燃焼から高燃焼への切替時には、空気ダンパ２１の開度が大きくなっていくときにおける発煙・消炎発生ゾーン３０の手前に切替の動作点を設定し、カム２７（２）が検出スイッチ２８（２）を作動させたときにそのタイミングを検知し、それによって図２の制御装置２２が高燃焼用弁１８をオンとする。こうすることで、発煙や消炎を生じることなしに、低燃焼から高燃焼への切替を行うことができる。同様に、高燃焼から低燃焼への切替時には、空気ダンパ２１の開度が小さくなっていくときにおける発煙・消炎発生ゾーン３０の手前に切替の動作点を設定し、カム２７（ｉ−１）が検出スイッチ２８（ｉ−１）を作動させたときにそのタイミングを検知し、それによって図２の制御装置２２が高燃焼用弁１８をオフとする。
【００２４】
なお、後述の反対例もあるが、一般的には、高燃焼から低燃焼への切替の動作点を発煙・消炎発生ゾーン３０よりも高燃焼側に設定したうえで、同様に低燃焼から高燃焼への切替の動作点も発煙・消炎発生ゾーン３０よりも高燃焼側に設定したり、反対に低燃焼から高燃焼への切替の動作点を発煙・消炎発生ゾーン３０よりも低燃焼側に設定したうえで、高燃焼から低燃焼への切替の動作点も発煙・消炎発生ゾーン３０よりも低燃焼側に設定したりすると、いずれも動作点がずれ過ぎて、良好な切替を行うことができない。よって、発煙・消炎発生ゾーン３０から低燃焼側あるいは高燃焼側に外れた１つの動作点において、低燃焼から高燃焼への切替と、高燃焼から低燃焼への切替との両方をいずれも良好に行うことは困難であり、実際的でない。
【００２５】
図３は、従来の弁の切替の態様の一例示す。この図３の場合は、低燃焼から高燃焼への切替と、高燃焼から低燃焼への切替とを、発煙・消炎発生ゾーン３０におけるただ１つの動作点において行っている。このため、低燃焼から高燃焼への切替と、高燃焼から低燃焼への切替とのいずれにおいても、切替時に発煙・消炎が発生する可能性が高く、良好な切替を行うことが困難である。
【００２６】
図４は、本発明の他の実施の形態における弁の切替の態様を示す。ここで、空気ダンパ２１のダンパ軸等２６は、その回転速度が、一定値であるなどのあらかじめ知られた速度であるとする。その場合には、たとえば空気ダンパ２１の開度が「低燃焼開度」であるときから「高燃焼開度」となるようにダンパ軸等２６が回転を始めたとすると、それによってカム２７（１）が検出スイッチ２８（１）を作動させる。このとき、上述のようにダンパ軸等２６の回転速度が知られていると、カム２７（１）が検出スイッチ２８（１）を作動させた後に、ダンパ軸等２６の回転角度が低燃焼から高燃焼への切替のタイミングすなわち切替の動作点に達するまでの時間は、あらかじめ知ることができる。そこで、図２に示される制御装置２２は、この時間が経過した時点が動作点であると判断して、そのときに低燃焼から高燃焼への切替を行う。
【００２７】
同様にして、高燃焼から低燃焼への切替を行うことができる。すなわち、空気ダンパ２１の開度が「高燃焼開度」から「低燃焼開度」となるようにダンパ軸等２６が回転を始めたときに、カム２７（２）が検出スイッチ２８（２）を作動させることでそのことを検出し、その検出の時点からダンパ軸等２６の回転角度が高燃焼から低燃焼への切替のタイミングすなわち切替の動作点に達するまでの時間をあらかじめ知っておくことで、所要の動作点で高燃焼から低燃焼への切替を行うことができる。
【００２８】
このように図４に示された手法により、低燃焼から高燃焼への切替と、高燃焼から低燃焼への切替とを行えば、図１に示された手法により切替を行う場合に比べて、カム２７（１）、〜、２７（ｉ）および検出スイッチ２８（１）、〜、２８（ｉ）の設置数を半減させることができる。なお、場合によっては、低燃焼から高燃焼への切替と、高燃焼から低燃焼への切替とのうちの一方を図１に示された手法で実行するとともに、その他方を図４に示された手法で実行することもできる。
【００２９】
図６は、本発明のさらに他の実施の形態の多段燃焼装置の構成を示す。ここでは、低燃焼用燃料供給ライン１５の低燃焼用弁１７と、高燃焼用燃料供給ライン１６の高燃焼用弁１８とのほかに、中燃焼用燃料供給ライン３１およびこのライン３１に設けられた中燃焼用弁３２が設けられている。それ以外の構成は、図１の装置と同様である。
【００３０】
この図６の多段燃焼装置についての弁１７、１８、３２の切替の態様を、図５に示す。この図５に示される切替の態様は、図４に示される切替の態様を発展させたものである。すなわち、図５においては、空気ダンパ２１の開度に関し、上述の「低燃焼開度」と「高燃焼開度」との間に単数段または複数段の「中燃焼開度」を設定したものであり、３段階以上の燃焼を行うものである。図５に示される具体的な例では、３段階の燃焼を行うものとし、中燃焼開度は、図６のバーナ１２における負荷率６５％に対応した燃焼量に調整するものとし、そのときの空気ダンパ２１の中燃焼開度はダンパ軸等２６の回転角度で４５度に調整されるものとする。図５において、低燃焼開度と高燃焼開度とは、図１や図４に示されるものと同じである。
【００３１】
この図５に示される態様においても、発煙・消炎発生ゾーンが存在する。詳細には、低燃焼開度と中燃焼開度との間に第１の発煙・消炎発生ゾーン３０Ａが存在するとともに、中燃焼開度と高燃焼開度との間に第２の発煙・消炎発生ゾーン３０Ｂが存在する。そして、中燃焼開度であることを検出するためのカム２７（２、・・・・、ｉ−１）がダンパ軸等２６に取り付けられるとともに、これらのカム２７（２、・・・・、ｉ−１）により作動される検出スイッチ２８（２、・・・・、ｉ−１）が設けられている。なお、上記したカムと検出スイッチについての符号は、中燃焼開度が複数段である一般的な場合ものとなっている。これに対し、図５に示された具体的な態様では、中燃焼開度は１段であり、このため上記の符号においてｉ＝３である。
【００３２】
そして、この図５に示される態様においても、図４に示される態様と同様に、空気ダンパ２１の開度が「低燃焼開度」であるときから「中燃焼開度」となるように、ダンパ軸等２６が回転を始めた時点から所定の設定時間が経過した後に、第１の発煙・消炎発生ゾーン３０Ａから外れた動作点において、低燃焼から中燃焼への切替を行う。中燃焼から低燃焼への切替、中燃焼から高燃焼への切替、高燃焼から中燃焼への切替についても同様である。
【００３３】
ここで、低燃焼時は、低燃焼用弁１７がオン、中燃焼用弁３２と高燃焼用弁１８とがオフである。中燃焼時は、低燃焼用弁１７と中燃焼用弁３２とがオン、高燃焼用弁１８がオフである。高燃焼時は、低燃焼用弁１７と中燃焼用弁３２と高燃焼用弁１８とのすべてがオンである。あるいは、このような制御に代えて、低燃焼時は低燃焼用弁１７のみがオン、中燃焼時は中燃焼用弁３２のみがオン、高燃焼時は高燃焼用弁１８のみがオンとなる制御や、その他のオン・オフ制御などを採用することもできる。
【００３４】
バーナ１２における燃焼と、発煙・消炎ゾーン３０、３０Ａ、３０Ｂとの関係について、詳しく説明する。バーナ１２において、低燃焼時は高燃焼時に比べて内部の圧力が低くなる。このため低燃焼時は、燃焼用空気供給ライン１４からバーナに送られる空気の圧力がバーナ１２の内部圧力よりも高く、かつ両者の差が比較的大きくなる。よって、低燃焼から高燃焼へ切り替えるときには、バーナ１２に早急に燃料を供給しないと、消炎が発生するおそれがある。このため、図１などにおいて示すように、低燃焼から高燃焼へ切り替えるときには、発煙・消炎ゾーン３０よりも低燃焼側の動作点において切替を行うことで、早期に燃料を増量して、消炎の発生を防止している。
【００３５】
また、高燃焼時は低燃焼時に比べてバーナ１２の内部の圧力が高くなる。このため、燃焼用空気供給ライン１４からバーナに送られる空気の圧力とバーナ１２の内部圧力との差が小さくなる。よって、高燃焼から低燃焼へ切り替えるときには、バーナ１２への燃料の量を早めに低減させないと、燃料過剰となって発煙が発生するおそれがある。このため、図１などにおいて示すように、高燃焼から低燃焼へ切り替えるときには、発煙・消炎ゾーン３０よりも高燃焼側の動作点において切替を行うことで、早期に燃料を減量して、発煙の発生を防止している。
【００３６】
なお、場合によっては、低燃焼時に燃焼用空気供給ライン１４からバーナに送られる空気の圧力とバーナ１２の内部圧力との差が比較的小さくなることもあり得る。そのときには、低燃焼から高燃焼への切替を発煙・消炎ゾーン３０よりも高燃焼側の動作点において行う方が好都合なこともある。また反対に、高燃焼時に燃焼用空気供給ライン１４からバーナに送られる空気の圧力とバーナ１２の内部圧力との差が比較的大きくなることもあり、そのときには、高燃焼から低燃焼への切替を発煙・消炎ゾーン３０よりも低燃焼側の動作点において行う方が好都合なこともある。
【００３７】
上記のように図５および図６では３段燃焼の場合について例示したが、４段以上の多段燃焼についても同様に実施することができる。
【００３８】
図７は、燃料として液体燃料を用いたうえで、バーナ１２にて４段燃焼を行うようにした装置の構成を示す。燃料供給ライン１３には燃料ポンプ３３が設けられている。バーナ１２には燃料と空気との混合流体を噴射する４つのノズル３４が設けられ、各ノズル３４に対応した４つの燃料供給ライン３５と、各燃料供給ライン３５に設けられた弁３６とが設けられている。３７は、バーナ１２における空気室である。他の構成は、図２などに示された装置と同様である。ノズル３４は、上記のように複数であることに代えて、単数であっても差し支えない。
【００３９】
図８は、燃料として気体燃料を用いたうえで、バーナ１２にて４段燃焼を行うようにした装置の構成を示す。燃料供給ライン１３には安全用の弁１９が設けられている。この図８の装置では、ノズル３４は単数である。他の構成は、図７に示された装置と同様である。
【００４０】
図９は、図７あるいは図８に示された装置における、燃料よりも燃焼用空気リッチであるときの弁（Ｎｏ．１〜Ｎｏ．４）３６の動作例を示す。図中、実線は低燃焼側から高燃焼側への切替を行うときの動作点の変化の様子を示すラインであり、破線は高燃焼側から低燃焼側への切替を行うときの動作点の変化の様子を示すラインである。低燃焼用のＮｏ．１の弁については、低燃焼の動作点が、着火時と停止時の動作点でもあることを示している。これらの動作点は、図２などにおいて示したものと同様に、低燃焼側から高燃焼側への切替を行うときの動作点の方が、高燃焼側から低燃焼側への切替を行うときの動作点よりも低燃焼側に設定されている。
【００４１】
図１０は、図７あるいは図８に示された装置における、燃焼用空気よりも燃料リッチであるときの弁（Ｎｏ．１〜Ｎｏ．４）３６の動作例を示す。図９の場合と同様に、実線は低燃焼側から高燃焼側への切替を行うときの動作点の変化の様子を示すラインであり、破線は高燃焼側から低燃焼側への切替を行うときの動作点の変化の様子を示すラインである。この図１０においては、図９の場合と反対に、低燃焼側から高燃焼側への切替を行うときの動作点の方が、高燃焼側から低燃焼側への切替を行うときの動作点よりも高燃焼側に設定されている。燃料リッチであることから、図９の場合に比べて高燃焼側で弁３６をオンとすることで、適量の燃料を燃焼させることができる。また図９の場合に比べて、低燃焼側で弁３６をオフとしている。
【図１】
2020165567.tif 000003
【図２】
2020165567.tif 000004
【図３】
2020165567.tif 000005
【図４】
2020165567.tif 000006
【図５】
2020165567.tif 000007
【図６】
2020165567.tif 000008
【図７】
2020165567.tif 000009
【図８】
2020165567.tif 000010
【図９】
2020165567.tif 000011
【図１０】
2020165567.tif 000012